(57)【特許請求の範囲】
【請求項１】
下面を底枠板（１９）で塞いだ有頂筒状の枠体（１）の本体部（４）内に、基板（１３）に複数のブラシ芯片（１４）が垂下設された硬質材製の作動体（１１）を昇降変位可能に内装し、前記枠体（１）の本体部（４）から筒状の取っ手（２）を起立設し、該取っ手（２）の上端部に回転可能ではあるが抜け出し不能に外嵌して組付く有頂筒状のツマミ（９）から、前記取っ手（２）内に位置する螺合筒片（１０）を垂下設した操作体（８）を設け、前記作動体（１１）の基板（１３）の上面中央から、前記螺合筒片（１０）と螺合する螺合軸片（１２）を起立設し、前記ツマミ（９）の回転操作により該作動体（１１）を昇降変位させる構成とし、前記作動体（１１）の下降変位により、前記ブラシ芯片（１４）が底枠板（１９）に開口された穴部（２０）から外部に突き出る構成とし、前記穴部（２０）から突き出る各ブラシ芯片（１４）は、軟質材製のブラシ筒片（１７）で覆われていることを特徴とするブラシ。
【請求項２】
螺合筒片（１０）および螺合軸片（１２）の螺条構造を、リード角の大きい多条ねじ構造とした請求項１に記載のブラシ。
【請求項３】
螺合筒片（１０）を雌ねじ構造とし、取っ手（２）の内周面に、前記螺合筒片（１０）を摺動可能に支える支持リブ（６）を設けた請求項１または２に記載のブラシ。
【請求項４】
基板（１３）の下面に密着形成されたベース板（１６）に、各ブラシ芯片（１４）に密外装するブラシ筒片（１７）を一体設した請求項１〜３の何れか１項に記載のブラシ。
【請求項５】
底枠板（１９）の上面に密着形成されたベース板（１６）に、各穴部（２０）を塞いで密着位置する有底筒状のブラシ筒片（１７）を一体設し、該ブラシ筒片（１７）は、上方に開放してブラシ芯片（１４）の出入りが自在である中空部（１８）を形成すると共に、底壁部分を伸縮自在とした請求項１〜３の何れか１項に記載のブラシ。
【請求項６】
底枠板（１９）の上面に密着形成されたベース板（１６）に、各穴部（２０）を密に塞いで突き出る先細り棒状のブラシ筒片（１７）を一体設し、該ブラシ筒片（１７）は、上方に開放してブラシ芯片（１４）の摺接状の出入りが自在である中空部（１８）を形成した請求項１〜３の何れか１項に記載のブラシ。
【請求項７】
ベース板（１６）とブラシ筒片（１７）を有するブラシ片体（１５）を、ブラシ芯片（１４）と該ブラシ芯片（１４）を垂下設した基板（１３）の下面をインサート材として成形されたインサート成形品とした請求項４に記載のブラシ。
【請求項８】
ベース板（１６）とブラシ筒片（１７）を有するブラシ片体（１５）を、穴部（２０）を開設した底枠板（１９）の上面と、前記穴部（２０）の穴周面をインサート材として成形されたインサート成形品とした請求項５または６に記載のブラシ。
【請求項９】
ツマミ（９）を、ボトル（２１）に装着されたヒンジキャップ（２２）の開閉蓋（２３）とした請求項１〜８の何れか１項に記載のブラシ。
【発明の詳細な説明】
【技術分野】
【０００１】
本発明は、使用により、マッサージ効果も得ることのできるボディや頭髪の洗浄用のブラシに関するものである。
【背景技術】
【０００２】
洗浄用のブラシとして、天然ゴム製の底板の上面に把持部を取り付け、底板の下面にブラシ片として機能する複数の突起を垂下設したものが、従来技術（特許文献１）として知られている。
【先行技術文献】
【特許文献】
【０００３】
【特許文献１】特開平０９−２７６０３３号公報
【発明の概要】
【発明が解決しようとする課題】
【０００４】
この特許文献１に記載された従来技術にあっては、各突起が底板に一体設されたものであるため、常に突出状態にあり、このためブラシ面の洗浄が不十分となり易く、さらに頭髪および頭皮等の皮膚に対する触感が固定的で、この触感を使用者の好みに合わせることができない、と云う不満および問題があった。
【０００５】
そこで、本発明は、上記した従来技術における問題点を解消すべく創案されたもので、複数のブラシ片の硬さ程度や突出程度を可変とすることを技術的課題とし、もってブラッシング時における触感を、使用者の好みに合うものとすることを目的とするものである。
【課題を解決するための手段】
【０００６】
上記課題を解決する本発明の手段の主たる構成は、
下面を底枠板で塞いだ有頂筒状の枠体の本体部内に、基板に複数のブラシ芯片が垂下設された硬質材製の作動体を昇降変位可能に内装すること、
枠体の本体部から筒状の取っ手を起立設し、取っ手の上端部に回転可能ではあるが抜け出し不能に外嵌して組付く有頂筒状のツマミから、取っ手内に位置する螺合筒片を垂下設した操作体を設け、作動体の基板の上面中央から、螺合筒片と螺合する螺合軸片を起立設し、ツマミの回転操作により作動体を昇降変位させる構成とすること、
作動体の下降変位により、ブラシ芯片が底枠板に開口された穴部から外部に突き出る構成とすること、
穴部から突き出る各ブラシ芯片は、軟質材製のブラシ筒片で覆われていること、
にある。
【０００７】
ブラシ芯片は、枠体内から突き出た状態でブラシ筒片に覆われてブラシ片を構成することになるので、硬質なブラシ芯片は、その外表面に軟質なブラシ筒片を位置させた状態でブラシ片として機能することになる。それゆえ、ブラシ片は、触感の柔らかいものとなる。
【０００８】
また、枠体内からのブラシ芯片の突き出し程度を調整することにより、ブラシ片としての硬さ程度、すなわち撓み変形のし難さ程度を調整することができると共に、皮膚および頭髪に対する接触作用程度を調整することができる。
【００１０】
操作体と作動体を螺合組付けしているため、操作体のツマミの回動操作により、枠体内の作動体を昇降変位させることができ、これにより枠体の外部に位置したツマミの操作により、枠体の内部に位置した作動体のブラシ芯片の穴部からの突き出しを、自在に行うことができる。
【００１１】
また、本発明の別の構成は、上記した主たる構成に、操作体と作動体を螺合組付けし、螺合筒片および螺合軸片の螺条構造を、リード角の大きい多条ねじ構造とした、ことを加えたものである。
【００１２】
螺合筒片および螺合軸片の螺条構造を、リード角の大きい多条ねじ構造としたものにあっては、操作体のツマミの大きな回動操作量を要することなく、ブラシ芯片の穴部からの出し入れを行うことができる。
【００１３】
また、本発明の別の構成は、上記した主たる構成に、螺合筒片を雌ねじ構造とし、取っ手の内周面に、螺合筒片を摺動可能に支える支持リブを設けた、ことをくわえたものである。
【００１４】
支持リブを設けたものにあっては、枠体に対する操作体の安定した姿勢での回動可能な組付けが確実に得られ、これにより枠体内における作動体の安定した昇降変位動作を得ることができる。
【００１５】
また、本発明の別の構成は、上記した主たる構成に、基板の下面に密着形成されたベース板に、各ブラシ芯片に密外装するブラシ筒片を一体設した、ことを加えたものである。
【００１６】
作動体の基板の下面にブラシ片体を密着形成したものにあっては、ブラシ芯片とブラシ筒片の組合わせ物であるブラシ片の構造が一定しているので、ブラッシングの調整が簡単である。
【００１７】
また、本発明の別の構成は、上記した主たる構成に、底枠板の上面に密着形成されたベース板に、各穴部を塞いで密着位置する有底筒状のブラシ筒片を一体設し、このブラシ筒片は、上方に開放してブラシ芯片の出入りが自在である中空部を形成すると共に、底壁部分を伸縮自在とした、ことを加えたものである。
【００１８】
底枠板の上面にブラシ片体を密着形成すると共に、穴部をブラシ筒片で塞いだものにあっては、ブラシ芯片を枠体内に上昇後退させた状態では、ブラシの底面は略平坦面状態となり、抜けた頭髪やゴミ等の異物が付着残存することがない。
【００１９】
また、本発明の別の構成は、上記した主たる構成に、底枠板の上面に密着形成されたベース板に、各穴部を密に塞いで突き出る先細り棒状のブラシ筒片を一体設し、このブラシ筒片は、上方に開放してブラシ芯片の摺接状の出入りが自在である中空部を形成した、ことを加えたものである。
【００２０】
底枠板の上面にブラシ片体を密着形成すると共に、穴部をブラシ筒片で塞いでブラシ筒片を設けたものにあっては、ブラシ芯片の下降前進程度、すなわちブラシ筒片の中空部に対するブラシ芯片の侵入程度により、ブラシ片の硬さ程度を自在に調整することができる。
【００２１】
また、本発明の別の構成は、作動体の基板の下面にブラシ片体を密着形成したものにおいて、ベース板とブラシ筒片を有するブラシ片体を、ブラシ芯片とこのブラシ芯片を垂下設した基板の下面をインサート材として成形されたインサート成形品とした、ことを加えたものである。
【００２２】
ブラシ芯片とこのブラシ芯片を垂下設した基板の下面をインサート材として、ブラシ片体をインサート成形したものにあっては、作動体に対するブラシ片体の密着組付きが強固で安定している。
【００２３】
また、本発明の別の構成は、ベース板とブラシ筒片を有するブラシ片体を、穴部を開設した底枠板の上面と、穴部の穴周面をインサート材として成形されたインサート成形品とした、ことを加えたものである。
【００２４】
底枠板の上面と、穴部の穴周面をインサート材として、ブラシ片体をインサート成形したものにあっては、ブラシ片体による穴部の密閉状態が、強力で完全であり、これにより洗浄時に頭髪やゴミ等の異物が穴部部分に挟み込まれると云う不都合の発生を無くすことができる。
【００２５】
また、本発明の別の構成は、操作体と作動体を螺合組付けした構成に、ツマミを、ボトルに装着されたヒンジキャップの開閉蓋とした、ことを加えたものである。
【００２６】
操作体のツマミを、シャンプーやボディーソープ等の内容物を収納したボトルのヒンジキャップの開閉蓋としたものにあっては、洗浄用のブラシを、内容物を収納したボトルに一体的に付帯させることができ、またツマミはヒンジキャップの開閉蓋として利用されるので、開閉蓋の機能を損なうことなく動作することができる。
【発明の効果】
【００２７】
本発明は、上記した構成となっているので、以下に示す効果を奏する。
本発明におけるブラシの主たる構成においては、ブラシ片はブラシ筒片により触感の柔らかいものとなり、これによりマッサージ効果を得ることができると共に、使用感が心地よいものとなる。
【００２８】
また、枠体内からのブラシ芯片の突き出し程度を調整することにより、ブラシ片としての硬さ程度を調整することができると共に、洗浄部分に対する接触作用程度を調整することができるので、ブラッシングの作用程度を調整して好みの使い勝手を得ることが可能となる。
【００２９】
さらに、操作体と作動体を螺合組付けしたので、ツマミの操作により作動体のブラシ芯片の穴部からの突き出しを、自在に行うことがで、これにより使用感の調整操作が簡単である。
【００３０】
螺合筒片および螺合軸片の螺条構造を、リード角の大きい多条ねじ構造としたものにあっては、操作体のツマミの大きな回動操作量を要することなく、ブラシ芯片の穴部からの出し入れを行うことができるので、ツマミによる調整量を大きくすることなく、簡単に適正な調整量を得ることができる。
【００３１】
支持リブを設けたものにあっては、枠体に対する操作体の安定した姿勢での回動可能な組付けが確実に得られ、これにより枠体内における作動体の安定した昇降変位動作を得ることができるので、ブラシ芯片の枠体内からの出入り動作を安定して良好なものとすることができる。
【００３２】
作動体の基板の下面にブラシ片体を密着形成したものにあっては、ブラシ芯片とブラシ筒片の組合わせ物であるブラシ片の構造が一定しているので、ブラッシング時の皮膚に対する刺激の調整が簡単であり、これにより取扱いが簡単となる。
【００３３】
底枠板の上面にブラシ片体を密着形成すると共に、穴部をブラシ筒片で塞いだものにあっては、ブラシ芯片を枠体内に上昇後退させた状態では、ブラシの底面は平坦面状態となり、抜けた頭髪やゴミ等の異物が付着残存することがなく、これによりブラシを常に清潔な状態に保つのが容易である。
【００３４】
底枠板の上面にブラシ片体を密着形成すると共に、穴部をブラシ筒片で塞いでブラシ筒片を設けたものにあっては、ブラシ芯片の下降前進程度、すなわちブラシ筒片の中空部に対するブラシ芯片の侵入程度により、ブラシ片の硬さ程度を自在に調整することができるので、発揮されるブラシ片の硬さ程度の変化範囲を広いものとすることができ、これにより広いブラッシング状態の選択範囲を得ることができる。
【００３５】
ブラシ芯片とこのブラシ芯片を垂下設した基板の下面をインサート材として、ブラシ片体をインサート成形したものにあっては、作動体に対するブラシ片体の密着組付きが強固で安定しているので、ブラシ筒片の一定して適正な姿勢を安定的に維持することができる。
【００３６】
底枠板の上面と、穴部の穴周面をインサート材として、ブラシ片体をインサート成形したものにあっては、ブラシ片体による穴部の密閉状態が、強力で完全であり、これにより洗浄時に頭髪やゴミ等の異物が穴部部分に挟み込まれると云う不都合の発生を無くすことができ、安全なブラッシング動作を得ることができる。
【００３７】
操作体のツマミを、シャンプーやボディーソープ等の内容物を収納したボトルのヒンジキャップの開閉蓋としたものにあっては、洗浄用のブラシを、内容物を収納したボトルに一体的に付帯させることができ、またツマミはヒンジキャップの開閉蓋として利用されるので、開閉蓋の機能を損なうことなく動作することができるので、ボトルとブラシの組合わせ物の取扱いが便利となる。
【図面の簡単な説明】
【００３８】
【図１】本発明の実施形態例の、全体下面図である。
【図２】本発明の第１実施形態例の非使用時の、半縦断面図である。
【図３】図２に示した第１実施形態例の使用時の、半縦断面図である。
【図４】本発明の第２実施形態例の非使用時の、半縦断面図である。
【図５】図４に示した第２実施形態例の使用時の、半縦断面図である。
【図６】本発明の第３実施形態例の非使用時の、半縦断面図である。
【図７】図６に示した第３実施形態例の使用時の、半縦断面図である。
【図８】操作体と作動体の螺合組付きの例を示す、要部拡大半縦断面図である。
【図９】本発明の第４実施形態例を示す、全体外観図である。
【発明を実施するための形態】
【００３９】
以下、本発明の実施形態例を、図面を参照しながら説明する。
なお、以下の実施形態例の説明では、ツマミ９が位置する側を上方とし、その反対の底枠板１９が位置する側を下方とする。
【００４０】
本発明による洗浄用のブラシ（以下、図１〜図７参照）は、有頂筒状の枠体１と、この枠体１の開放された下面を塞ぐ底枠板１９と、枠体１の本体部４内に昇降変位可能に内装された硬質材料製の作動体１１と、作動体１１のブラシ芯片１４を覆うブラシ筒片１７を有する軟質材料製のブラシ片体１５と、作動体１１を枠体１の外部から昇降変位させる操作体８とから構成されている。
【００４１】
枠体１は、頂壁５の周端から周壁７を垂下設した高さの低い有底筒状の本体部４と、この本体部４の頂壁５中央部から筒状の取っ手２を起立設して構成されており、取っ手２の上端部の組付け筒片３は、操作体８の組付き部分を提供している。周壁７の内周面には、底枠板１９がアンダーカット結合を利用して嵌め込み固定されるアンダーカット結合機能部が形成されている。
【００４２】
底枠板１９は、平板状をした本体部分の周端部に、周壁状の壁部分を立上げ周設し、この立上げ周設した壁部分を周壁７内に嵌め込んでアンダーカット結合することにより、枠体１に対して強固に組付き固定される。この底枠板１９平板状の主体部分には、複数の穴部２０（特に、図１参照）が上下に貫通して形成されている。
【００４３】
操作体８は、枠体１の組付き筒片３に、外嵌して、回動可能であるが抜け出し離脱不能にアンダーカット結合するキャップ状の有頂筒構造をしたツマミ９の頂壁から、雌ねじ構造をした筒状の螺合筒片１０を垂下設して構成されている。この螺合筒片１０は、枠体１の取っ手２内に位置することになるが、この取っ手２の内周面下端部には、螺合筒片１０を周囲から支えて、その回動動作を安定させるための支持リブ６が設けられている。
【００４４】
作動体１１は、硬質材料（例えば、ポリプロピレン）製で、平板状の基板１３の下面から、底枠板１９の各穴部２０に一対一で対向する複数のブラシ芯片１４を垂下設し、基板１３の上面中央部から、操作体８の螺合筒片１０と螺合する雄ねじ筒状の螺合筒片１２を起立設して構成されている。この作動体１１は、その主体部分である基板１３とブラシ芯片１４の組合わせ部分を、枠体１の本体部４内に、昇降変位自在ではあるが、回動変位不能に組付け位置させており、これにより各ブラシ芯片１４を、常に穴部２０に上方から対向させている。
【００４５】
ブラシ片体１５は、平板状のベース板１６の下面からブラシ筒片１７を垂下状に設けて構成されており、その全体を軟質材料（例えば、軟質ゴムやエラストマー）製となっている。ブラシ筒片１７は、ブラシ片体１５が作動体１１に組付けられた状態で、個々にブラシ芯片１４を覆うことができる位置および構造で形成されている。
【００４６】
図２および図３は、第１実施形態例を示すもので、図２は非使用状態を、そして図３は使用状態を示している。この第１実施形態例において、ブラシ片体１５は、作動体１１の基板１３の下面、およびこの基板１３の下面に垂下設された複数のブラシ芯片１４を覆って、すなわちブラシ片体１５のベース板１６が基板１３の下面を覆うと共に、ブラシ筒片１７が各ブラシ芯片１４を覆って密着状に組付いている。ブラシ芯片１４とブラシ筒片１７が組合わさって構成されるブラシ片は、作動体１１の昇降変位に関わりなく、一定した構造をしていて、上昇限界位置（図２参照）に位置した状態で、その先端を、外部に突出させることなく、穴部２０に塞ぐように位置させている。
【００４７】
それゆえ、図３に示した使用状態から図２に示した非使用状態に戻した際には、例えば抜けてブラシ片に絡み付いた頭髪やゴミ等の異物は、底枠板１９に扱かれてブラシ片から離脱することになり、また図２に示した非使用状態では、ブラシの下面を構成する底枠板１９の下面は、凹凸の少ない平坦面を形成することになるので、洗浄がし易く清潔な状態を維持することが容易である。また、図示したように、各ブラシ筒片１７をブラシ芯片１４よりも長く成形して、ブラシ筒片１７の下端部がブラシ芯片１４の下端から下方に延出する構成とすることにより、使用状態で、この延出したブラシ筒片１７の下端部分が、好ましいマッサージ効果を発揮することになる。
【００４８】
また、この第１実施形態例においては、作動体１１に対するブラシ片体１５の密着固定手段として、作動体１１の基板１３の下面、および各ブラシ芯片１４をインサート材として、ブラシ片体１５をインサート成形すると良い。作動体１１をインサート材として、ブラシ片体１５をインサート成形することにより、作動体１１に対するブラシ片体１５の密着組付きが、強固で確実に得ることができるので、軟質材料製のブラシ片体１５の所望する動作を安定して発揮させることができる。
【００４９】
図４および図５は、第２実施形態例を示すもので、図４は非使用状態を、そして図５は使用状態を示している。この第２実施形態例において、ブラシ片体１５は、底枠板１９の上面、およびこの底枠板１９に開設された複数の穴部２０を塞ぐようにして覆って、密着状に組付いている。穴部２０を塞いで覆うブラシ片体１５部分である各ブラシ筒片１７は、有底短筒状となっていて、ブラシ芯片１４が位置する上方に開放した中空部１８を形成しており、さらにこのブラシ筒片１７の底壁部分は、底枠板１９の下面と面一状に位置している。
【００５０】
それゆえ、図４に示した非使用状態から図５に示した使用状態にした際には、下降変位して穴部２０から突き出るブラシ芯片１４に押されて、ブラシ筒片１７の底壁部分は延び変形し、ブラシ芯片１４を覆って、このブラシ芯片１４と一緒に突出することになる。図５に示した使用状態から、図４に示した非使用状態に戻ると、底枠板１９の下面は、穴部２０がブラシ筒片１７で塞がれた平坦面となるので、洗浄がし易く清潔な状態を維持することが容易である。
【００５１】
図６および図７は、第３実施形態例を示すもので、ブラシ片体１５は、底枠板１９の上面、およびこの底枠板１９に開設された複数の穴部２０を塞ぐようにして覆って、密着状に組付いている。穴部２０を塞いで覆うブラシ片体１５部分である各ブラシ筒片１７は、穴部２０から突き出る先細りの棒状をしていて、ブラシ芯片１４が位置する上方に開放した中空部１８を形成しており、この中空部１８は、ブラシ芯片１４の摺接状の出入りが自在となっている。
【００５２】
それゆえ、図６では、ブラシ片はブラシ筒片１７だけで構成されていることになるので、きわめて柔らかい状態となっているが、図７に示した、ブラシ筒片１７内にブラシ芯片１４挿入された状態では、その挿入量に応じてブラシ筒片１７の柔軟性が規制されて、ブラシ片の硬さが調整される。このブラシ片の硬さ程度は、ブラシ筒片１７の中空部１８に対するブラシ芯片１４の挿入程度により設定されるものであるので、使用者は、このブラシ筒片１７の中空部１８に対するブラシ芯片１４の挿入程度を、ツマミ９の操作により適当に設定し、自分好みのブラッシング状態を設定する。また、図示したように、各ブラシ筒片１７の下端部分を中空部１８の下端よりも下方に延出状に形成することにより、この延出したブラシ筒片１７の下端部分が、好ましいマッサージ効果を発揮するようにしている。
【００５３】
第２実施形態例および第３実施形態例においては、底枠板１９に対するブラシ片体１５の密着固定手段として、底枠板１９の上面、および各穴部２０の穴周面をインサート材として、ブラシ片体１５をインサート成形すると良い。底枠板１９をインサート材として、ブラシ片体１５をインサート成形することにより、底枠板１９に対するブラシ片体１５の密着組付きが、強固で確実に得ることができるので、軟質材料製のブラシ片体１５の所望する動作を安定して発揮させることができる。
【００５４】
図８は、操作体８の螺合筒片１０と作動体１１の螺合軸片１２の螺合組付き構成例を示すもので、図８（ｂ）が一条螺合組付き構造を示しているのに対して、図８（ａ）は二条螺合組付き構造を示している。図８（ａ）に示した二条螺合組付き構造のものは、そのリード角ａが、図８（ｂ）の一条螺合組付き構造のリード角ｂに比べて、２倍の大きさとなっており、このため図８（ａ）に示したものは、図８（ｂ）に示したものに比べて、同じツマミ９の操作量で、作動体１１を大きく昇降変位操作することができることになる。この多条螺合組付き構造としては、螺条同士の組合わせに限ることはなく、例えばリード角の大きい螺条とこの螺条に螺合する螺合突起の組合わせであっても良い。
【００５５】
図９は、第４の実施形態例を示すもので、シャンプーやボディーソープ等の内容物を収納したボトル２１に装着されたヒンジキャップ２２の、上下方向に書籍状に搖動開閉する開閉蓋２３としてツマミ９を適用して構成したものである。この第４実施形態例にあっては、ボトル２１の開閉が開閉蓋２３（ツマミ９）の搖動変位であるのに対して、ブラシの非使用状態と使用状態の切替えや、ブラッシング作用の調整が開閉蓋２３（ツマミ９）の回動変位と云う、全く異なる動作形態であるので、互いに不都合な影響を与え合う恐れがなく、好適に使い分けることができる。また、ブラシがボトル２１に、常に一体的に付帯することになるので、使用時の高い利便性を得ることができると共に、格納管理し易いことになる。
【００５６】
以上、実施形態例に沿って本発明の構成とその作用効果について説明したが、本発明の実施の形態は上記実施形態例に限定されるものではない。例えば、ブラシの下面形状は、円形状に限定されることはなく楕円状であっても良く、また螺合筒片１０と螺合軸片１２の組合わせは、螺合筒片１０が雄ねじ構造で、螺合軸片１２が雌ねじ構造であっても良い。
【産業上の利用可能性】
【００５７】
本発明の洗浄用のブラシは、各ブラシ片のブラッシング時における触感を、使用者の好みに合わせて設定することができ、マッサージ効果を発揮できる洗浄用のブラシとして広い分野での適用を可能とすることができる。
【符号の説明】
【００５８】
１  ；枠体
２  ；取っ手
３  ；組付け筒片
４  ；本体部
５  ；頂壁
６  ；支持リブ
７  ；周壁
８  ；操作体
９  ；ツマミ
１０；螺合筒片
１１；作動体
１２；螺合軸片
１３；基板
１４；ブラシ芯片
１５；ブラシ片体
１６；ベース板
１７；ブラシ筒片
１８；中空部
１９；底枠板
２０；穴部
２１；ボトル
２２；ヒンジキャップ
２３；開閉蓋
ａ  ；リード角
ｂ  ；リード角
【図１】
0006264612.tif 000002
【図２】
0006264612.tif 000003
【図３】
0006264612.tif 000004
【図４】
0006264612.tif 000005
【図５】
0006264612.tif 000006
【図６】
0006264612.tif 000007
【図７】
0006264612.tif 000008
【図８】
0006264612.tif 000009
【図９】
0006264612.tif 000010